(57)【要約】【課題】鉄塔上部の平坦部にミサゴなどの大型の猛禽類が営巣することを防止する方法を提供する。【解決手段】複数の鉄骨材が骨組みされ、少なくとも送電線８ｗを懸架する鉄塔８の上部８１の平坦部８１１に内部が中空の営巣防止錐体１を設置する。そして、営巣防止錐体１の底面積が平坦部８１１の領域の半分以上を占有するように、営巣防止錐体１の底面部１１が平坦部８１１を覆うと共に、営巣防止錐体１の頂点部１２が平坦部８１１から上方に向かうように、営巣防止錐体１を平坦部８１１に配置する。これにより、ミサゴなどの大型の猛禽類が枝などの複数の巣材を平坦部８１１に積み難くなり、営巣を防止できる。【選択図】図１
2012034618.tif 000002
【特許請求の範囲】
【請求項１】
複数の鉄骨材が骨組みされ、少なくとも送電線を懸架する鉄塔上部の平坦部に内部が中空の営巣防止錐体を設置し、
この営巣防止錐体の底面積が前記平坦部の領域の半分以上を占有するように、前記営巣防止錐体の底面部が前記平坦部を覆うと共に、前記営巣防止錐体の頂点部が前記平坦部から上方に向かうように当該営巣防止錐体を前記平坦部に配置する、鉄塔の平坦部での営巣防止方法。
【請求項２】
前記営巣防止錐体は、巣材に用いる枝を積み重ねることが困難なように、傾斜する錐体面を有する請求項１記載の鉄塔の平坦部での営巣防止方法。
【請求項３】
前記営巣防止錐体は、頂点部から前記底面部に下ろした仮想の垂線の足が当該底面部の重心に一致するように、直錐状に構成される請求項１又は２記載の鉄塔の平坦部での営巣防止方法。
【請求項４】
前記営巣防止錐体は、耐候性を有する合成樹脂で成形されている請求項１から３のいずれかに記載の鉄塔の平坦部での営巣防止方法。
【発明の詳細な説明】
【技術分野】
【０００１】
本発明は、鉄塔の平坦部での営巣防止方法に関する。特に、ミサゴなどの猛禽類が送電線などを懸架する鉄塔の上部（頂部）に設けた平坦部に営巣することを防止する方法に関する。
【背景技術】
【０００２】
例えば、電力を送電・配電する鉄塔には、カラスなどが営巣することが知られている。カラスは、ハンガーや針金を使用し、枯れ枝と一緒に積み重ねて巣を作る。したがって、針金などの営巣材料が電線などに触れる短絡事故が発生している。又、市街地の鉄塔に営巣された場合、糞被害が発生している。このような鳥害を防ぐために、カラスなどの鳥を威嚇して、鉄塔に寄せ付けない対策が要望されている。
【０００３】
上述した対策として、送電線などを懸架する鉄塔に鳥除けのための線材を張設した、送電線鉄塔における鳥害防止装置が開示されている（例えば、特許文献１参照）。
【０００４】
特許文献１による鳥害防止装置は、送電線鉄塔の高圧側の部材に取り付けられる支持部材と、支持部材に装着されたケースと、ケースの内部の軸部に巻回して収納された絶縁性の線材と、線材を軸部に巻き取る方向に付勢するばね材と、を備え、線材をケースの開口部から導出自在に構成している。
【０００５】
特許文献１による鳥害防止装置は、送電線に鳥が飛来して短絡事故が発生することを防止できると共に、線材の切断事故が発生してもケースの内部に自動的に巻き取られるので、線材の切れ端が電気的に危険な高圧側にぶら下がることはなく、短絡事故を確実に解消できる、としている。
【０００６】
又、別の対策として、複数のワイヤロッドの一端部を結束すると共に、これらのワイヤロッドの他端部を傘骨状に展開整形した鳥害防止器が開示されている（例えば、特許文献２参照）。
【０００７】
特許文献２による鳥害防止器を送電塔の腕金などに設置すると、鳥の飛来、休息、又は、営巣を物理的に阻止できるので、鳥の汚染に起因する建造物の耐用年数の低下を抑制できる、としている。
【先行技術文献】
【特許文献】
【０００８】
【特許文献１】特開平１１−１２２７７６号公報
【特許文献２】特開２００１−２８９９９号公報
【発明の概要】
【発明が解決しようとする課題】
【０００９】
ミサゴは、鳥網タカ目タカ科ミサゴ属に分類される鳥であって、主に魚類を食べる肉食性の猛禽類である。ミサゴなどの猛禽類は、採餌環境の整った山間部の樹木（松などの針葉樹）にほとんどが営巣して、繁殖活動することが知られている。
【００１０】
しかし、近年では、山間部に立設された送電線用鉄塔の上部に設けた平坦部にミサゴが営巣する事例が発生してきている。環境汚染などにより、営巣に適した松が枯れてきていることが原因とも考えられ、強風に揺れる立ち木よりも頑丈な鉄塔の方が営巣に適していると、ミサゴが学習した結果とも考えられる。ミサゴは、一度営巣した場所に繰り返し営巣することが知られている。
【００１１】
ミサゴは、環境省の鳥類レッドリストで準絶滅危惧にカテゴリー分けされた、保護野生生物である。したがって、ミサゴの生息が確認された地域で、大規模な鉄塔建設などの工事を行う場合は、ミサゴの繁殖期間中（２月〜７月）は工事を中断するなど、繁殖活動に影響を与えないようにしている。
【００１２】
ミサゴは、直径が５ｃｍ程度の松の枝を巣材として、大量の巣材を帽子のように樹冠部に積み上げて、直径が１．５ｍ程度の大きさに巣を構築する習性がある。そして、ミサゴがこのような巣を鉄塔上部の平坦部に構築した場合は、次のような問題がある。
【００１３】
鉄塔上部で作業するときには、足場が巣材で覆い尽くされているため、巣を撤去しておく必要がある。しかし、巣材が大量であるために、撤去に多くの時間と労力を必要とするという問題がある。
【００１４】
又、巣に産卵又は雛鳥が発見された場合は、鳥獣保護法の定めにより許可を得ないと、巣を撤去することはできない。一方、ミサゴは、前述した保護野生生物であるため、容易に許可が得られず、巣立ち後に作業せざるを得ない場合もある。
【００１５】
更に、鉄塔上部の平坦部にミサゴが営巣した場合は、排泄物が鉄塔に散乱し、糞被害が発生するという問題もある。
【００１６】
これらの問題に対して、繁殖期（営巣期）に先立ち、鳥害防止器を用いて、ミサゴなどの猛禽類を鉄塔の上部に寄せ付けない解決策が考えられる。しかし、特許文献１による鳥害防止装置は、カラス、ハト、ムクドリなどの小型の鳥を鉄塔に寄せ付けないことに効果があっても、全長が５０ｃｍ〜６０ｃｍのミサゴなどの大型の猛禽類を鉄塔に寄せ付けないようにするには、ほとんど効果がないことを確認した。
【００１７】
又、特許文献２に開示された、複数のワイヤロッドの先端部が傘骨状に展開整形した鳥害防止器を鉄塔上部に複数設置したが、巣立ちの時期が終わった後には、結局は、鉄塔上部の平坦部にミサゴの巣が残されていたことを確認した。
【００１８】
前述したように、ミサゴは、松などの針葉樹の樹冠部に営巣する習性があるので、ワイヤロッドの先端部が傘骨状に展開整形した鳥害防止器は、これと同じものとして、営巣（巣作り）には支障がなかったものと推察される。
【００１９】
ミサゴなどの大型の猛禽類が鉄塔上部に飛来又は休息することはできても、鉄塔上部の平坦部に営巣することが困難な方法が実現できれば、これらの猛禽類が樹木で営巣することに誘導できる。
【００２０】
本発明は、このような課題に鑑みてなされたものであり、ミサゴなどの大型の猛禽類が鉄塔上部の平坦部に営巣することが困難な鉄塔の平坦部での営巣防止方法を提供することを目的とする。
【課題を解決するための手段】
【００２１】
本発明者は、ミサゴなどの大型の猛禽類が枝などの複数の巣材を積み難く、かつ、これらの巣材が分散し易いように、営巣防止錐体を鉄塔上部の平坦部に設置することにより、これらの猛禽類の営巣が困難なことを見出し、これに基づいて、以下のような新たな鉄塔上部の平坦部での営巣防止方法を発明するに至った。
【００２２】
（１）本発明による鉄塔の平坦部での営巣防止方法は、複数の鉄骨材が骨組みされ、少なくとも送電線を懸架する鉄塔上部の平坦部に内部が中空の営巣防止錐体を設置し、この営巣防止錐体の底面積が前記平坦部の領域の半分以上を占有するように、前記営巣防止錐体の底面部が前記平坦部を覆うと共に、前記営巣防止錐体の頂点部が前記平坦部から上方に向かうように当該営巣防止錐体を前記平坦部に配置する。
【００２３】
（２）前記営巣防止錐体は、巣材に用いる枝を積み重ねることが困難なように、傾斜する錐体面を有することが好ましい。
【００２４】
（３）前記営巣防止錐体は、頂点部から前記底面部に下ろした仮想の垂線の足が当該底面部の重心に一致するように、直錐状に構成してもよい。
【００２５】
（４）前記営巣防止錐体は、耐候性を有する合成樹脂で成形されていてもよい。
【発明の効果】
【００２６】
本発明による鉄塔の平坦部での営巣防止方法は、ミサゴなどの大型の猛禽類が枝などの複数の巣材を積み難く、かつ、これらの巣材が分散し易いように、営巣防止錐体を鉄塔上部の平坦部に設置することにより、これらの猛禽類の営巣が困難となり、営巣を防止できる。
【図面の簡単な説明】
【００２７】
【図１】本発明の鉄塔の平坦部での営巣防止方法に用いられる営巣防止錐体の一実施形態による構成を示す斜視図であり、鉄塔上部の平坦部に営巣防止錐体を設置した状態図である。
【図２】前記実施形態による営巣防止錐体の斜視図であり、鉄塔上部の平坦部に営巣防止錐体を設置した状態を下方から観ている。
【図３】前記実施形態による営巣防止錐体の斜視図であり、鉄塔上部の平坦部に営巣防止錐体を設置した状態を上方から観ている。
【図４】前記実施形態による営巣防止錐体の平面図であり、鉄塔上部の平坦部に営巣防止錐体を設置した状態図である。
【図５】前記実施形態による営巣防止錐体の斜視図である。
【図６】前記実施形態による営巣防止錐体の平面図である。
【図７】別の実施形態による営巣防止錐体の構成を示す正面図である。
【発明を実施するための形態】
【００２８】
以下、図面を参照して本発明を実施するための形態を説明する。
［鉄塔の平坦部での営巣防止方法］
最初に、本発明の一実施形態による鉄塔の平坦部での営巣防止方法を説明する。図１は、本発明の鉄塔の平坦部での営巣防止方法に用いられる営巣防止錐体の一実施形態による構成を示す斜視図であり、鉄塔上部の平坦部に営巣防止錐体を設置した状態図である。図２は、前記実施形態による営巣防止錐体の斜視図であり、鉄塔上部の平坦部に営巣防止錐体を設置した状態を下方から観ている。
【００２９】
又、図３は、前記実施形態による営巣防止錐体の斜視図であり、鉄塔上部の平坦部に営巣防止錐体を設置した状態を上方から観ている。図４は、前記実施形態による営巣防止錐体の平面図であり、鉄塔上部の平坦部に営巣防止錐体を設置した状態図である。
【００３０】
図１から図４を参照すると、営巣防止錐体１は、鉄塔８の上部８１の平坦部８１１に設置されている。鉄塔８は、複数の鉄骨材が骨組みされている。又、鉄塔８は、送電線８ｗを懸架している。
【００３１】
図１から図４を参照すると、営巣防止錐体１の底面積が平坦部８１１の領域の半分以上を占有するように、営巣防止錐体１の底面部１１が平坦部８１１を覆っている。又、営巣防止錐体１の頂点部１２が平坦部８１１から上方に向かうように、営巣防止錐体１を平坦部８１１に配置している。
【００３２】
図１から図４を参照すると、鉄塔８は、四面同形の鉄塔主体をもつ四角鉄塔となっている。鉄塔８は、等辺山形鋼又は鋼管などの鉄骨材をボルトで接合して骨組みしている。又、ボルトの接合部に使用される鋼板も鉄骨材の範囲に含まれる。
【００３３】
図１から図４を参照すると、鉄塔８は、地上に出る鉄塔上部と地面に埋設される基礎部で構成されている。鉄塔上部は、地上から上方に延びる４本の主柱材８１ｄと、これらの主柱材８１ｄをボルトで締結する斜材８１ｅなどで構成されている。
【００３４】
図１から図４を参照すると、鉄塔８の上部８１には、三つの腕金（アーム）８ａ・８ｂ・８ｃを設けている。腕金８ａと腕金８ｂは、相反する向きに水平状態に突出している。腕金８ｃは、腕金８ａと腕金８ｂの間から、これらの腕金８ａ・８ｂと直角に水平状態に突出している。なお、図４では、腕金８ｃの図示を省略している。
【００３５】
図１から図４を参照すると、これらの腕金８ａ・８ｂ・８ｃは、一対の主柱材８１ｄに基端部が片持ち状に支持され、先端部が集中する一対の腕金主材８１ｆ・８１ｆ及び一対の腕金支材８１ｇ・８１ｇにより構成されている。そして、これらの腕金８ａ・８ｂ・８ｃの先端部は、碍子を介して、送電線８ｗを懸架している。なお、一対の腕金８ａ・８ｂの下段には、同様な一対の腕金を配置しているが、図示を省略している。
【００３６】
図１又は図４を参照すると、鉄塔８の上部８１は、一対の対向する腕金主材８１ｆ・８１ｆの中間部同士が略平行に配置され、更に、これらの中間部同士に一対の水平材８１ｈ・８１ｈの両端部が結合して、四角い枠状に構成している。
【００３７】
図１又は図４を参照すると、一対の腕金主材８１ｆ・８１ｆ及び一対の水平材８１ｈ・８１ｈで囲われた枠の内側隅部は、それぞれ隅補助鋼板８１ｊで固定され、鉄塔８の上部８１を補強している。更に、これらの隅補助鋼板８１ｊは、交差する一組の対角補助材８１ｋ・８１ｋが結合して、鉄塔８の上部８１を補強している。
【００３８】
図１又は図４を参照すると、隅補助鋼板８１ｊの上面と隅補助鋼板８１ｊの周辺の腕金主材８１ｆ及び水平材８１ｈの上面とは、略面一に構成され、鉄塔８の上部８１で工事するときの足場になり得るが、同時に、ミサゴなどの猛禽類が営巣するために適した、平坦部８１１となっていた。本発明の実施形態は、営巣防止錐体１を用いて、ミサゴなどの猛禽類が鉄塔８の上部８１の平坦部８１１に営巣することを防止できる。
【００３９】
（営巣防止錐体の構成）
次に、本発明の実施形態による営巣防止錐体１の構成を説明する。図５は、前記実施形態による営巣防止錐体の斜視図である。図６は、前記実施形態による営巣防止錐体の平面図である。
【００４０】
図５又は図６を参照すると、実施形態による営巣防止錐体１は、円を底面として有し、頂点に向かって縮径する幾何学上の円錐体状に形成されている。実体として、営巣防止錐体１は、前記円錐体の底面の直径より大きい一辺を有する正四角体状のスカート（鍔部）を設けた底面部１１を有している。又、実体として、営巣防止錐体１は、前記円錐体の上部を底面と略平行な面で形成した頂点部１２を有している。
【００４１】
又、図５及び図６を参照すると、実施形態による営巣防止錐体１は、頂点部１２から底面部１１に下ろした仮想の垂線の足が底面部の重心に一致するように、略直円錐状に構成されている。更に、実施形態による営巣防止錐体１は、傾斜する円錐体面１３を有している。
【００４２】
図５を参照して、営巣防止錐体１は、合成樹脂を成形材として、所定の肉厚を有するように、底面部を開口させると共に、内部を中空に成形することが好ましい。
【００４３】
図５又は図６を参照すると、円錐体面１３の下部には、貫通する一対の穴１ａ・１ａを２箇所に開口している。そして、これらの穴１ａ・１ａに紐体１ｂを挿通して、鉄塔８の上部８１の平坦部８１１に繋留している（図１参照）。
【００４４】
次に、別の実施形態による営巣防止錐体の構成を説明する。図７は、別の実施形態による営巣防止錐体の構成を示す正面図である。図７を参照すると、別の実施形態による営巣防止錐体２は、円錐体２ａ、心棒２ｂ、及び台座２ｃを備えている。
【００４５】
図７を参照すると、円錐体２ａは、円を底面として有し、頂点に向かって縮径する幾何学上の円錐体状に形成されている。円錐体２ａは、その底面積が平坦部８１１の領域の半分以上を占有するように、底面部２１が平坦部８１１を覆うことができる（図１参照）。
【００４６】
又、図７を参照すると、円錐体２ａの頂点部２２が平坦部８１１から上方に向かうように、営巣防止錐体２を配置することが好ましい（図１参照）。円錐体２ａは、頂点部２２から底面部２１に下ろした仮想の垂線の足が底面部の重心に一致するように、略直円錐に構成されている。更に、円錐体２ａは、傾斜する円錐体面２３を有している。
【００４７】
図７を参照して、心棒２ｂは、その先端部が円錐体２ａを支持している。台座２ｃは、心棒２ｂの基端部を支持している。円錐体２ａは、合成樹脂を成形材として、所定の肉厚を有するように、底面部を開口させると共に、内部を中空に成形することが好ましい。心棒２ｂは、ステンレスパイプからなることが好ましく、台座２ｃは、適宜な固定手段を用いて、鉄塔８の上部８１の平坦部８１１に固定できる（図１参照）。
【００４８】
［鉄塔の平坦部での営巣防止方法の作用］
次に、実施形態による鉄塔の平坦部での営巣防止方法の作用及びを説明する。図１から図６を参照すると、実施形態による鉄塔８の平坦部８１１での営巣防止方法は、複数の鉄骨材が骨組みされ、少なくとも送電線８ｗを懸架する鉄塔８の上部８１の平坦部８１１に内部が中空の営巣防止錐体１を設置している。
【００４９】
図１から図６を参照すると、営巣防止錐体１の底面積が平坦部８１１の領域の半分以上を占有するように、営巣防止錐体１の底面部１１が平坦部８１１を覆うと共に、営巣防止錐体１の頂点部２２が平坦部８１１から上方に向かうように、営巣防止錐体１を平坦部８１１に配置している。
【００５０】
図４を参照して、ミサゴの繁殖期（営巣期）に先立ち、鉄塔８の上部８１の４箇所の平坦部８１１に営巣防止錐体１を設置しておいた。ミサゴの繁殖期（営巣期）が終わった時期に、鉄塔８の上部８１を偵察したが、ミサゴの巣は確認されなかった。一組の対角補助材８１ｋ・８１ｋの交差部は、ミサゴの営巣に適当な場所であると想定していたが、交差部にも、ミサゴの巣は確認されなかった。
【００５１】
図５及び図６を参照すると、営巣防止錐体１は、例えば、幅×奥行×高さが約４０ｃｍ×約４０ｃｍ×約８０ｃｍであり、巣材に用いる枝を積み重ねることが困難なように、傾斜する円錐体面１３を有しているので、ミサゴの営巣を防止できたと考えられる。なお、図７に示された別の実施形態による営巣防止錐体２でも、ミサゴの営巣を防止できると考えられる。
【００５２】
実施形態による鉄塔の平坦部での営巣防止方法は、鉄塔などの人工構造物において、ミサゴなどの猛禽類が繁殖期間中に作業や工事を実施する場合、営巣されてから巣を撤去して繁殖活動を妨害するのではない。実施形態による鉄塔の平坦部での営巣防止方法は、ミサゴなどの猛禽類の繁殖期（営巣期）に先立ち、営巣防止対策が可能であり、ミサゴなどの猛禽類が樹木などの自然物に営巣できるよう誘導できる。
【００５３】
このように、実施形態による鉄塔の平坦部での営巣防止方法は、野生生物を保護する観点から、鉄塔などの人工構造物への営巣を全面的に排除するものではなく、自然界での営巣を誘導することにより、人の営み（作業又は工事）と共存できる。
【００５４】
図５及び図６を参照すると、営巣防止錐体１は、頂点部１２から底面部１１に下ろした仮想の垂線の足が底面部１１の重心に一致するように、直錐状に構成することが好ましいが、底面の円の中心と頂点とを結ぶ仮想の線分が底面と緩やか傾斜で交わる斜円錐であってもよい。
【００５５】
同様に、図７を参照すると、円錐体２ａは、頂点部２２から底面部２１に下ろした仮想の垂線の足が底面部２１の重心に一致するように、直錐状に構成することが好ましいが、底面の円の中心と頂点とを結ぶ仮想の線分が底面に緩やか傾斜で交わる斜円錐であってもよい。
【００５６】
図１から図４を参照すると、営巣防止錐体１は、屋外に設置されるので、耐候性を有する合成樹脂で成形されることが好ましい。同様に、営巣防止錐体２は、屋外に設置されるので、耐候性を有する合成樹脂で円錐体２ａを成形することが好ましい。
【００５７】
実施形態による鉄塔の平坦部での営巣防止方法は、次のような効果が期待できる。
（１）ミサゴの繁殖期間中に、鉄塔での作業や工事を実施する場合、計画的にミサゴの営巣を保全できる。
（２）鉄塔上でのミサゴの架巣→抱卵→育雛に至る繁殖活動に伴う、工事計画の変更のリスクを回避できる。
（３）鉄塔を保全する上で重要な架線接続部又は航空障害灯の設置部への営巣を防止できる。
（４）樹木などの自然物への営巣を促進できて、繁殖活動を妨げない。
【００５８】
更に、実施形態による鉄塔の平坦部での営巣防止方法は、次のような直接的な効果も期待できる。
（５）巣材を撤去する費用、又は営巣に起因する腐食防止のための費用を削減できる。
（６）鉄塔にミサゴが飛来しても、鳥を傷つける恐れがない。
【００５９】
本発明による鉄塔の平坦部での営巣防止方法で用いられた営巣防止錐体は、実施形態による営巣防止錐体１又は、別の実施形態による営巣防止錐体２に限定されない。錐体は、円錐体を含むことができ、三角錐体以上の多角錐体を含むことができる。
【符号の説明】
【００６０】
１  営巣防止錐体
８  鉄塔
８ｗ  送電線
１１  底面部（営巣防止錐体の底面部）
１２  頂点部（営巣防止錐体の頂点部）
８１  上部（鉄塔上部）
８１１  平坦部（鉄塔上部の平端部）
【図１】
2012034618.tif 000003
【図２】
2012034618.tif 000004
【図３】
2012034618.tif 000005
【図４】
2012034618.tif 000006
【図５】
2012034618.tif 000007
【図６】
2012034618.tif 000008
【図７】
2012034618.tif 000009